(57)【特許請求の範囲】
【請求項１】
平板状をなす表示パネルの背面側に互いに平行に配列される複数本のランプを保持する保持装置において、
保持板と受け板とを組立てて成るランプホルダを前記ランプの配列方向の両端に前記配列方向と直角方向であって前記表示パネルの周縁部に沿って配し、
前記保持板の切込みに前記ランプの両端が受入れられることを特徴とする平板状表示装置におけるランプの保持装置。
【請求項２】
前記保持板がほぼコ字状断面を有するとともに、内側の垂直な壁部にＵ字状をなす前記切込みが形成され、しかも外側の垂直な壁部に矩形の切込みが形成され、前記ランプの両端の電極に接続されているソケットが前記矩形の切込みに受入れられていることを特徴とする請求項１に記載の平板状表示装置におけるランプの保持装置。
【請求項３】
前記内側の壁部の先端部に直角に折曲げられた折曲げ片が形成され、該折曲げ片に反射板が取付けられていることを特徴とする請求項２に記載の平板状表示装置におけるランプの保持装置。
【請求項４】
前記外側の壁部の先端部に直角に折曲げられた折曲げ片が形成され、該折曲げ片にランプの駆動回路が設けられている回路基板が取付けられるとともに、該回路基板によって前記矩形の切込みが閉じられていることを特徴とする請求項２に記載の平板状表示装置におけるランプの保持装置。
【請求項５】
前記保持板と組合わされる受け板の外側の端部に直角に折曲げて形成された当接壁部が前記ランプの両端の電極に接続されているソケットの軸線方向先端部を受けていることを特徴とする請求項２に記載の平板状表示装置におけるランプの保持装置。
【請求項６】
前記保持板と組合わされる受け板の内側の端部に前方に突出するように折曲げられている押え片が連設され、該押え片によって拡散板が押えられるようになっていることを特徴とする請求項１に記載の平板状表示装置におけるランプの保持装置。
【請求項７】
前記ランプホルダがその長さ方向の中間位置を中心としてその両側が互いに対称の形状を有することを特徴とする請求項１に記載の平板状表示装置におけるランプの保持装置。
【発明の詳細な説明】
【０００１】
【発明の属する技術分野】
本発明は平板状表示装置におけるランプの保持装置に係り、とくに平板状をなす表示パネルの背面側に互いに平行に配列される複数本のランプを保持するランプの保持装置に関する。
【０００２】
【従来の技術】
表示装置として広く用いられている陰極線管（Ｃａｔｈｏｄｅ  Ｒａｙ  Ｔｕｂｅ、ＣＲＴ）は背面側に突出するようにネック部を備えるとともに、その先端側に電子銃を有する構造を有しているために、前後方向の寸法が大きくなっている。従って陰極線管から成る表示装置は、その前後方向の寸法を小さくすることが困難で、薄型化を妨げるという問題があった。
【０００３】
このような問題点に鑑みて、各種の平板状表示装置が提案されている。平板状表示装置に用いられる平板状をなす表示パネルには、プラズマディスプレイパネル、フィールドエミッションディスプレイ、プラズマアドレス液晶パネル、有機エレクトロルミネッセンスディスプレイ等の各種の表示パネルが提案されている。
【０００４】
これらの表示パネルの中には、プラズマアドレス液晶パネルのようにそれ自身が発光することができないパネルが存在し、このようなパネルにおいては、その背面側にバックライトを配するようにしている。このようなバックライトの光によって表示パネルを発光させ、所定の表示を行なうようにしている。
【０００５】
【発明が解決しようとする課題】
例えばプラズマアドレス液晶パネルにおいては、その表示パネルの後側に複数本の蛍光管を配列して成るバックライトを必要とする。このようなバックライトは、その両端にそれぞれソケットが接続されるとともに、このようなソケットを何等かの保持手段によって保持する必要がある。
【０００６】
そこで合成樹脂成形体から成るランプホルダを表示パネルの背面側であって左右の両側においてその周縁部に沿って配列し、このようなランプホルダによって細長い蛍光管の両端に接続されているソケットを受入れて保持するようにしていた。
【０００７】
別の構造としては、平板を溶接や加締め、あるいはビス止め等の方法によって固定したランプホルダを用意し、このような金属製のランプホルダにランプを止めるようにしていた。
【０００８】
合成樹脂成形体から成るランプホルダはその寸法に応じた金型によって成形する必要があり、とくに表示パネルの寸法が大きくなると金型も大きなものを用意しなければならず、これによってコストが増大する問題があった。金属板を組合わせて成るランプホルダは、製造工程が面倒になるとともに、箱形のランプホルダにした場合には、その重量が大きくなるという問題があった。
【０００９】
本発明はこのような問題点に鑑みてなされたものであって、比較的簡潔な構造でありながら確実にバックライトを構成するランプを保持することができ、しかもその製造の際に金型を必要とせず、あるいはまた組立てが容易な平板状表示装置におけるランプの保持装置を提供することを目的とする。
【００１０】
【課題を解決するための手段】
本発明は、平板状をなす表示パネルの背面側に互いに平行に配列される複数本のランプを保持する保持装置において、
保持板と受け板とを組立てて成るランプホルダを前記ランプの配列方向の両端に前記配列方向と直角方向であって前記表示パネルの周縁部に沿って配し、
前記保持板の切込みに前記ランプの両端が受入れられることを特徴とする平板状表示装置におけるランプの保持装置に関するものである。
【００１１】
前記保持板がほぼコ字状断面を有するとともに、内側の垂直な壁部にＵ字状をなす前記切込みが形成され、しかも外側の垂直な壁部に矩形の切込みが形成され、前記ランプの両端の電極に接続されているソケットが前記矩形の切込みに受入れられてよい。また前記内側の壁部の先端部に直角に折曲げられた折曲げ片が形成され、該折曲げ片に反射板が取付けられていてよい。あるいはまた前記外側の壁部の先端部に直角に折曲げられた折曲げ片が形成され、該折曲げ片にランプの駆動回路が設けられている回路基板が取付けられるとともに、該回路基板によって前記矩形の切込みが閉じられていてよい。
【００１２】
前記保持板と組合わされる受け板の外側の端部に直角に折曲げて形成された当接壁部が前記ランプの両端の電極に接続されているソケットの軸線方向先端部を受けるようにしてよい。また前記保持板と組合わされる受け板の内側の端部に前方に突出するように折曲げられている押え片が連設され、該押え片によって拡散板が押えられるようになっていてよい。さらには前記ランプホルダがその長さ方向の中間位置を中心としてその両側が互いに対称の形状を有するものであることが好ましい。
【００１３】
本発明の好ましい態様においては、バックライトを構成するランプを保持するためのランプホルダを保持板と受け板とを組合わせた部材によって構成するものである。ここで保持板はランプの位置出しと保持とを行なうものである。また保持板はバックライトの反射板と拡散板とを固定しあるいは保持するものである。さらに保持板はその長さ方向の中間位置を中心としてその両側が互いに対称な形状となすことにより、互いに対向する両側の一対の部材を同じものを用いることを可能にするものである。
【００１４】
【発明の実施の形態】
図１および図２は本発明の一実施の形態に係る平板状表示装置の全体の構成を示すものである。この表示装置はプラズマ液晶パネルから成る板状の表示パネル１８によって構成される表示装置であって、前後方向の寸法が非常に薄い平板状の表示装置を構成している。
【００１５】
この表示装置は上下一対の横フレーム１５と左右一対の縦フレーム１６とによって構成される矩形の枠体を備えるようになっており、横フレーム１５と縦フレーム１６とはコーナの部分に配されるコーナ部材１７を介して互いに結合されるようになっている。
【００１６】
図２、図３、および図４に示すように、横フレーム１５は例えばアルミニウム合金の押出し材から構成されるとともに、断面がほぼコ字状をなし、上側の横フレーム１５は上方に向って開放されている。また下側の横フレーム１５は下方に向って開放された構造をなしている。これに対して縦フレーム１６はアルミニウム合金の押出し材から成る角筒によって構成されている。
【００１７】
横フレーム１５と縦フレーム１６とを互いに結合して矩形の枠体を構成するためのコーナ部材１７は図２および図３に示すように、アルミニウム合金のブロック体から構成され、水平方向に突出する角柱状突部２２と垂直方向に突出する角柱状突部２３とを備えている。
【００１８】
コーナ部材１７の水平方向に延びる角柱状突部２２は横フレーム１５の溝の部分に挿入されて結合されるようになっている。そして横フレーム１５の図３に示すビス挿通孔２４を挿通するビス２５をコーナ部材１７の角柱状突部２２の背面側の部分に設けられている雌ねじ孔２６にねじ込んで螺着することによって、横フレーム１５とコーナ部材１７とが互いに結合されるようになっている。同様にコーナ部材１７の角柱状突部２３を縦フレーム１６内に挿入し、縦フレーム１６のビス挿通孔２７を挿通するビス２８をコーナ部材１７の角柱状突部２３の雌ねじ孔２９にねじ込むことによって、コーナ部材１７と縦フレーム１６とが互いに結合されるようになっている。このようにして４つのコーナ部材１７を介して上下一対の横フレーム１５と左右一対の縦フレーム１６とが組合わされ、矩形の枠体が構成される。
【００１９】
コーナ部材１７にはとくに図２に示すように、その前面側であって内側のコーナの部分にそれぞれ凹部３３が形成され、この凹部３３の部分で矩形の表示パネル１８のコーナの部分を受けるようになっている。しかも表示パネル１８は上下の横フレーム１５にとくに図４に示すように両面接着剤３４によって接着固定されるようになっている。表示パネル１８の左右の両側端は同様に両面接着剤によって縦フレーム１６の前面側に接着固定されている。また横フレーム１５には切欠きが形成されるようになっており、このような切欠きによって表示パネル１８のチップ管３５を横フレーム１５内に受入れるようになっており、これによって横フレーム１５でチップ管３５を保護するようになっている。なおチップ管３５は表示パネル１８内の空気を吸引排除した後に封止される管である。
【００２０】
矩形の枠体を構成する左右一対の縦フレーム１６の背面側には、図２に示すようにランプホルダ３８が配されている。このようなランプホルダ３８によって互いに平行にしかも水平方向に配される複数本のバックライト３９を保持するようにしている。
【００２１】
図４は表示パネル１８の後側におけるバックライト３９の配列を示すものであって、バックライト３９は表示パネル１８の後側からこのパネル１８を照明するものである。そしてバックライト３９の背面側には反射板４０が配されるとともに、バックライト３９の前面側であって表示パネル１８の背面側に拡散板４１が配されるようになっている。また反射板４０の背面側にはリヤカバー４２が取付けられるようになっており、ビス４３によって横フレーム１５に固定されている。
【００２２】
上記表示パネル１８を駆動するための回路が形成されている回路基板４７は図４に示すように、横フレーム１５の断面がコ字状をなす凹部の内側に配されている。なおここでは２枚の回路基板４７が互いに平行にしかも所定の距離を隔てて配されるようになっている。
【００２３】
次に縦フレーム１６の背面側に配される左右のバックライト３９の保持のための構造について説明する。ランプホルダ３８は図５〜図８に示すように、保持板５１と受け板５２とを互いに組合わせるようにしたものである。ここで保持板５１はアルミニウム合金の押出し板を断面がほぼコ字状に屈曲させたものであって、その内側の壁部の先端側の部分には折曲げ片５３が連設されている。この折曲げ片５３には、ビス５４によって図８に示すように、反射板４０の端部が押えられるようになっている。しかもこのような折曲げ片５３を先端部に有する内側の壁部にはＵ字状切込み５５が形成され、このようなＵ字状切込み５５によってバックライト３９を構成するランプが受入れられるようになっている（図８および図９参照）。
【００２４】
これに対して受け板５２の外側の壁部には矩形の切込み５６が形成されるとともに、このような切込み５６によって図８および図１０に示すようにソケット５７を受入れるようにしている。ソケット５７は表示パネル１８の背面側において互いに平行に配される複数本のバックライト３９のランプの両端の電極に接続されている。
【００２５】
また保持板５１の外側の側壁の先端部には直角に折曲がった支持片５８が連設され、この支持片５８上に回路基板５９がビス６０によって取付けられるようになっている。回路基板５９は上記矩形の切込み５６の出口の部分を図１０に示すように閉じるようにしており、これによって矩形の切込み５６からのソケット５７の脱落を防止している。また上記ビス６０の先端部によってソケット５７の側面を押えるようにし、これによって矩形の切込み５６内においてソケット５７がふらつかないようにしている。
【００２６】
上記保持板５１と組合わされる受け板５２は、とくに図７および図８に示すようにその断面形状がほぼ階段状に屈曲されたアルミニウム合金の板から構成されている。そしてこのような受け板５２の外側の端部には垂直に屈曲された当接壁部６１が連設されている。このような当接壁部６１はとくに図８に示すように、バックライト３９のランプの先端部に接続されているソケット５７の先端部を受けるようにしており、これによってソケット５７が側方に脱落するのを防止している。
【００２７】
また受け板５２の内側の端部には前方に屈曲するようにＬ字状に押え片６２が連設されており、このような押え片６２の先端部によって、表示パネル１８の内側の配される拡散板４１の周縁部を押えるようにしている。拡散板４１は導光板から構成され、バックライト３９の光をより均一にし、これによって表示パネル１８の明るさのムラをなくすためのものである。
【００２８】
上記保持板５１と受け板５２とは互いにスポット溶接によって結合され、これによって図５および図６に示すように２つの部材が一体となったランプホルダ３８を構成している。しかも互いに溶接によって結合された保持板５１と受け板５２とは、ビス６３によって縦フレーム１６の背面側の部分に固定されている。
【００２９】
以上のような構成において、表示パネル１８の後側のバックライト３９を点灯するとともに、このバックライト３９の光を拡散板４１によって拡散して表示パネル１８の後側を照明する。これに対して横フレーム１５の内側に配されている回路基板４７上の回路によって表示パネル１８を駆動することによって、所定の表示が行なわれる。
【００３０】
とくにプラズマ液晶パネルから成る表示装置１８は、ＴＦＴ型の液晶パネルのスイッチング素子に、ＴＦＴに代えてプラズマ・スイッチを用いるようにしたものであって、プラズマ・スイッチはガスを封じ込めた放電空間に向ってカソードとアノード、プローブの各電極を配するようにし、ＦＥＴと等価な働きをするようにしたものである。ここで回路基板４７によってプラズマ・スイッチを制御することにより、この表示パネル１８が所定の表示を行なうようになる。
【００３１】
このように本実施の形態においては、表示パネル１８の後側に横フレーム１５が配されるとともに、その後側にリヤカバー４２が取付けられている。表示パネル１８と横フレーム１５および縦フレーム１６との間には両面接着剤３４が介在されており、この両面接着剤３４によって表示パネル１８の周縁部であってその上下の部分が横フレーム１５に結合されている。また横フレーム１５の背面側にはリヤカバー４２がビス４３によって固定されている。ここで横フレーム１５は図５に示すパネルホルダ２とシャーシ４の両方の機能を果している。すなわち横フレーム１５が表示パネル１８の全荷重を受けるとともに、リヤカバー４２の後側の壁が直接荷重を支持できるような構造を提供している。
【００３２】
また表示パネル１８を駆動するための電子回路を構成する回路基板４７を横フレーム１５のコ字状をなす凹部の中に入れるようにしている。また横フレーム１５と表示パネル１８とリヤカバー４２とによって下記まれる空間の中にバックライト３９と反射板４０と拡散板４１とを収納するようにしている。
【００３３】
とくに図４に示す構造によれば、横フレーム１５の上方へ開放された空間と表示パネル１８の背面側の空間とが互いに遮断されるために、とくに横フレーム１５の外部に開放された空間を外気によって冷却するとともに、表示パネル１８の背面側の空間を密閉空間とすることが可能になる。これによってとくにバックライト３９が収納されている空間に埃が侵入することが防止されるようになる。
【００３４】
また表示パネル１８から突出しているチップ管３５が切欠きを通して横フレーム１５内に挿入されるようになっているために、横フレーム１５によってチップ管３５の損傷を防止することが可能になる。また表示パネル１８の熱を横フレーム１５を介してリヤカバー４２に伝達し、これによって表示パネル１８の放熱を図ることが可能になる。また表示パネル１８の後側の空間内に入っているバックライト３９をリヤカバー４２によって冷却できるようになる。
【００３５】
また本実施の形態に係る平板状表示装置においては、表示パネル１８の背面側に配されるバックライト３９が左右のランプホルダ３８によって保持されるようになっている。ランプホルダ３８は図７に示すようにアルミニウム合金板から成る保持板５１と受け板５２とを予め図５〜図８に示すように折曲げた後に、これらを互いにスポット溶接の方法によって結合して組立てるようにしている。
【００３６】
ここで保持板５１の矩形の切込み５６によってランプ３９のソケット５７の外周囲を押えるようにしている。しかもこのようなソケット５７の先端部は受け板５２の当接壁部６１によって押えられるようになっている。またこの保持板５１の受け板５２との接合面には、ランプホルダ３８を縦フレーム１６に固定するためのビス６３を挿通するビス挿通孔が設けられている。なお縦フレーム１６は図８に示すように表示パネル１８を保持している。またランプホルダ３８の受け板５２の押え片６２によって拡散板４１を押えるようにしている。さらに保持板５１の内側壁部に連設されている折曲げ片５３によって反射板４０を固定するようにしている。
【００３７】
このような構造によると、バックライト３９を構成するランプを後方、すなわち表示パネル１８とは反対側であって図８において上方からこのランプホルダ３８に固定することが可能になる。またバックライト３９のランプが後方へ脱落するのを防止するために、支持板５８に取付けられている回路基板５９を利用することが可能になる。なおこの回路基板５９上にはバックライト３９の駆動用の回路が形成されている。
【００３８】
上記バックライト３９のランプを挿通させるための保持板５１のＵ字状切込み５５が形成されている内側の壁部は、バックライト３９の有効部分と側端部とを遮蔽する役割を果している。この遮蔽は外部の埃を内部（表示パネル１８の背面側空間）に侵入させないために必要である。またバックライト３９のランプの端部は高温であってしかも輝度が低いために、バックライト３９の有効部分と隔離する必要があり、これによって表示パネル１８の周縁部までより均一な明るさとすることが可能になる。
【００３９】
またここでは図５および図６に示すように、ランプホルダ３８がその長さ方向の中間部を中心として互いにその両側で対称の形状を有しているために、表示パネル１８の左右の両側において同じランプホルダ３８を用いることが可能になる。このようなランプホルダ３８によって、互いに平行に配列されている複数本のバックライト３９を安定に保持できるようになる。
【００４０】
このような構造によれば、軽量であってしかも容易にランプ３９の固定が行ない得るランプホルダ３８が提供される。しかもランプホルダ３８によってバックライト３９のランプの固定と位置出しと、反射板４０および拡散板４１の固定とを同時に行なうことが可能になる。またバックライト３９のランプを背面側から取付けることが可能になり、これによってランプの装着の作業性が大幅に改善される。
【００４１】
またこのような実施の形態によれば、ランプホルダ３８が保持板５１と受け板５２とから構成されており、これらを組合わせて構成されているために、構造がシンプルでしかもコストがかからないという利点を有する。さらにはランプホルダ３８によってバックライト３９の有効部分と両側端の部分との間の遮蔽を確実に行なうことが可能になる。またバックライト３９のランプの脱落防止を回路基板５９によって達成することが可能になる。
【００４２】
【発明の効果】
以上のように本発明は、保持板と受け板とを組立てて成るランプホルダをランプの配列方向の両端に配列方向と直角方向であって表示パネルの周縁部に沿って配し、保持板の切込みにランプの両端が受入れられるようにしたものである。
【００４３】
従って本発明によれば、ランプの固定が容易でしかも構造が簡潔なランプの保持装置を提供することが可能になる。
【００４４】
保持板がほぼコ字状断面を有するとともに、内側の垂直な壁部にＵ字状をなす上記切込みが形成され、しかも外側の垂直な壁部に矩形の切込みが形成され、ランプの両端の電極に接続されているソケットが矩形の切込みに受入れられている構成によれば、Ｕ字状切込みに受入れられたランプの両端に接続されているソケットを外側の垂直な壁部に形成された矩形の切込みによって保持することが可能になる。
【００４５】
保持板の内側の壁部の先端部に直角に折曲げられた折曲げ片が形成され、この折曲げ片に反射板が取付けられている構成によれば、ランプホルダを利用して反射板が取付けられることになる。
【００４６】
保持板の外側の壁部の先端部に直角に折曲げられた折曲げ片が形成され、該折曲げ片にランプの駆動回路が設けられている回路基板が取付けられるとともに、該回路基板によって上記矩形の切込みが閉じられるようにした構成によれば、ランプの駆動回路が設けられている回路基板によってソケットの脱落が防止される。
【００４７】
保持板と組合わされる受け板の外側の端部に直角に折曲げて形成された当接壁部がランプの両端の電極に接続されているソケットの軸線方向先端部を受けている構成によれば、当接壁部によってランプの軸線方向の移動あるいはずれが防止される。
【００４８】
保持板と組合わされる受け板の内側の端部に前方に突出するように折曲げられている押え片が連設され、該押え片によって拡散板が押えられるようになっている構成によれば、ランプホルダを有効に利用して拡散板を押えることが可能になる。
【００４９】
ランプホルダがその長さ方向の中間位置を中心としてその両側が互いに対称の形状を有するようにした構成によれば、互いに対向する両側のランプホルダの部品の共通化が図られることになる。
【図面の簡単な説明】
【図１】プラズマ液晶パネルから成る平板状表示装置の正面図である。
【図２】同表示装置の分解斜視図である。
【図３】コーナ部材による横フレームと縦フレームの結合を示す背面側から見た斜視図である。
【図４】表示装置の要部拡大縦断面図である。
【図５】ランプホルダの平面図である。
【図６】ランプホルダの正面図であるる
【図７】ランプホルダの分解斜視図である。
【図８】ランプホルダによるランプの取付けを示す要部拡大横断面図である。
【図９】図８におけるＡ〜Ａ矢視図である。
【図１０】図８におけるＢ〜Ｂ矢視図である。
【符号の説明】
１５‥‥横フレーム、１６‥‥縦フレーム、１７‥‥コーナ部材、１８‥‥表示パネル、２２、２３‥‥角柱状突部、２４‥‥ビス挿通孔、２５‥‥ビス、２６‥‥雌ねじ孔、２７‥‥ビス挿通孔、２８‥‥ビス、２９‥‥雌ねじ孔、３３‥‥凹部、３４‥‥両面接着剤、３５‥‥チップ管、３８‥‥ランプホルダ、３９‥‥バックライト、４０‥‥反射板、４１‥‥拡散板、４２‥‥リヤカバー、４３‥‥ビス、４７‥‥回路基板、５１‥‥保持板、５２‥‥受け板、５３‥‥折曲げ片、５４‥‥ビス、５５‥‥Ｕ字状切込み、５６‥‥矩形の切込み、５７‥‥ソケット、５８‥‥支持片、５９‥‥回路基板、６０‥‥ビス、６１‥‥当接壁部、６２‥‥押え片、６４‥‥ビス
【図１】
0003760962.tif 000002
【図２】
0003760962.tif 000003
【図３】
0003760962.tif 000004
【図４】
0003760962.tif 000005
【図５】
0003760962.tif 000006
【図６】
0003760962.tif 000007
【図７】
0003760962.tif 000008
【図８】
0003760962.tif 000009
【図９】
0003760962.tif 000010
【図１０】
0003760962.tif 000011